(57)【要約】【課題】複数本の電線を簡易な手法で整列させることにより、端子金具が相手端子と接続可能な位置に至るようにする。【解決手段】複数本の電線１０が管状部材７０の内部に挿通され、各電線１０における管状部材７０の開口端から引き出された引出部分１３の端末部に、それぞれ端子金具２０が接続され、各端子金具２０が、対応する相手端子８０と接続可能な位置に臨むように、各電線１０が整列具３０によって整列させられる。整列具３０は、管状部材７０及び各端子金具２０を除いて各電線１０の引出部分１３を個別に挿入する溝部４２間に設けられた仕切り壁３７と、自身を車体９０側に取り付け可能な取付部４５と、を備えている。【選択図】図１
2015042026.tif 000002
【特許請求の範囲】
【請求項１】
複数本の電線が管状部材の内部に挿通され、各電線における前記管状部材の開口端から外部に引き出された引出部分の端末部に、それぞれ端子金具が接続され、各端子金具が、対応する相手端子と接続可能な位置に臨むように、前記各電線が整列させられてなる整列構造であって、
前記管状部材及び前記各端子金具を除いて前記各電線の前記引出部分を個別に挿入する溝部間に設けられた仕切り壁と、自身を車体側に取り付け可能な取付部と、を有する整列具を備えていることを特徴とする電線の整列構造。
【請求項２】
前記整列具は、前記取付部を有するカバー部と、本体部と、これらカバー部及び本体部を一体に連結するヒンジ部とからなり、前記カバー部が、前記本体部に対し、前記ヒンジ部を介して、前記各電線を受け入れ可能に開放された開放位置と、前記溝部を周方向に区画可能に閉止された閉止位置とに変位可能となっていることを特徴とする請求項１記載の電線の整列構造。
【請求項３】
複数本の電線が管状部材の内部に挿通され、各電線における前記管状部材の開口端から外部に引き出された引出部分の端末部に、それぞれ端子金具が接続され、各端子金具が、対応する相手端子と接続可能な位置に臨むように、前記各電線が整列させられる場合に用いられる整列具であって、
前記管状部材及び前記各端子金具を除いて前記各電線の前記引出部分を個別に挿入する溝部間に設けられた仕切り壁と、自身を車体側に取り付け可能な取付部と、を備えていることを特徴とする整列具。
【請求項４】
前記取付部を有するカバー部と、本体部と、これらカバー部及び本体部を一体に連結するヒンジ部とからなり、前記カバー部が、前記本体部に対し、前記ヒンジ部を介して、前記各電線を受け入れ可能に開放された開放位置と、前記溝部を周方向に区画可能に閉止された閉止位置とに変位可能となっていることを特徴とする請求項３記載の整列具。
【発明の詳細な説明】
【技術分野】
【０００１】
本発明は、電線の整列構造及び整列具に関する。
【背景技術】
【０００２】
特許文献１には、金属製のパイプの内部に複数本の電線が挿通された構造が開示されている。各電線は、管状部材の開口端から外部に引き出される引出部分を有している。各電線の引出部分の端末部には、端子金具が接続され、それぞれの端子金具が、対応する相手端子に接続されるようになっている。
【先行技術文献】
【特許文献】
【０００３】
【特許文献１】特開２０１１−２３８４１４号公報
【発明の概要】
【発明が解決しようとする課題】
【０００４】
ところで、上記の場合に、各電線の引出部分の長さが電線毎に異なっていると、各電線の引出部分の端末部に接続された端子金具が、対応する相手端子と接続可能な位置に自動的に臨むことが可能となり、回路の識別に格別の配慮を必要としない。しかし、各電線の引出部分の長さがいずれも同じであると、上記線長差に基づく回路の識別ができなくなり、各端子金具が、対応する相手端子と接続可能な位置に迅速に臨むことができないという事情がある。その結果、端子金具の接続作業に迷いを生じることとなり、最悪の場合、端子金具が本来とは異なる相手端子に誤って接続されるおそれがある。
【０００５】
これに対し、端子金具がコネクタの内部に挿入され、コネクタを介して端子金具と相手端子との接続作業を行うようにすれば、上記のような誤接続も生じることはない。しかし、コネクタを用いると、端子金具の形態や回路状況が制限されるという問題があり、より簡易な手法で誤接続が生じないようにすることが求められている。
【０００６】
本発明は上記のような事情に基づいて完成されたものであって、複数本の電線を簡易な手法で整列させることにより、端子金具が相手端子と接続可能な位置に至るようにすることを目的とする。
【課題を解決するための手段】
【０００７】
本発明は、複数本の電線が管状部材の内部に挿通され、各電線における前記管状部材の開口端から外部に引き出された引出部分の端末部に、それぞれ端子金具が接続され、各端子金具が、対応する相手端子と接続可能な位置に臨むように、前記各電線が整列させられてなる整列構造であって、前記管状部材及び前記各端子金具を除いて前記各電線の前記引出部分を個別に挿入する溝部間に設けられた仕切り壁と、自身を車体側に取り付け可能な取付部と、を有する整列具を備えているところに特徴を有する。
【０００８】
また、本発明は、複数本の電線が管状部材の内部に挿通され、各電線における前記管状部材の開口端から外部に引き出された引出部分の端末部に、それぞれ端子金具が接続され、各端子金具が、対応する相手端子と接続可能な位置に臨むように、前記各電線が整列させられる場合に用いられる整列具であって、前記管状部材及び前記各端子金具を除いて前記各電線の前記引出部分を個別に挿入する溝部間に設けられた仕切り壁と、自身を車体側に取り付け可能な取付部と、を備えているところに特徴を有する。
【発明の効果】
【０００９】
整列具の仕切り壁によって、管状部材及び各端子金具を除いた各電線の引出部分が相互の入れ替わりを規制した状態で溝部内に収容されるため、各電線の引出部分の端末部に接続された端子金具が、対応する相手端子と接続可能な位置に自動的に臨むことができる。その結果、端子金具が、対応する相手端子との接続作業を迷うことなく迅速に開始することができるとともに、本来と異なる相手端子と誤って接続される事態を回避することができる。したがって、本発明によれば、コネクタを用いることなく、各電線を簡易な手法で整列させることができ、端子金具が相手端子と接続可能な位置に至ることができる。また、整列具が取付部を介して車体側に取り付けられることにより、車体の振動時における整列具のがた付きが抑えられるとともに、治具等と違って、各電線から整列具を外す作業を必要とせず、組み付け作業性に優れる。
【図面の簡単な説明】
【００１０】
【図１】実施例１の電線の整列構造において、各電線が整列具で整列して配置された状態を示す平面図である。
【図２】各電線の引出部分の端末部に接続された端子金具が、対応する相手端子と接続された状態を示す側面図である。
【図３】カバー部が開放位置にある場合における整列具の斜視図である。
【図４】カバー部が閉止位置にある場合における整列具の斜視図である。
【図５】配線構造全体の概略図である。
【発明を実施するための形態】
【００１１】
本発明の好ましい形態を以下に示す。
前記整列具は、前記取付部を有するカバー部と、本体部と、これらカバー部及び本体部を一体に連結するヒンジ部とからなり、前記カバー部が、前記本体部に対し、前記ヒンジ部を介して、前記各電線を受け入れ可能に開放された開放位置と、前記溝部を周方向に区画可能に閉止された閉止位置とに変位可能となっている。これにより、各電線が管状部材に挿通され、各電線の端末部に端子金具が接続された状態にあっても、カバー部が開放位置にあるときに、整列具に各電線を受け入れさせることができるとともに、カバー部が閉止位置にあるときに、整列具の溝部に各電線を抜け止め状態で収容させることができる。
【００１２】
＜実施例１＞
本発明の実施例１を図１〜図５によって説明する。実施例１の電線１０の整列構造は、複数本の電線１０を整列状態で配線することにより、各電線１０の端末部に接続された端子金具２０を、対応する相手端子８０と接続可能な位置に臨ませる構造であって、各電線１０を整列するための整列具３０を備えている。
【００１３】
各電線１０は、ハイブリッド自動車に配索されるワイヤハーネスを構成するものである。図５に示すように、車体９０のフロント側のエンジンルーム内にはモータ９１が搭載され、車体９０のリア側の床上にはモータ９１を駆動するバッテリーまたはインバータ回路等の電力供給源９２が搭載され、電線１０は、これらモータ９１側と電力供給源９２側との間に配索されてモータ９１に三相交流電力を供給する３本の高圧電線として構成される。
【００１４】
各電線１０は、互いに同形状であって、銅やアルミニウムからなる芯線１１の周囲を絶縁被覆１２で包囲してなるものである。各電線１０は、端部を除いて管状部材７０に挿通されている。管状部材７０は、各電線１０のうちの車体９０の床下に配索される部分の周囲をシールドして覆う金属製のパイプ７１と、床下から床上に至る部分の周囲を覆うコルゲートチューブやグロメット等のチューブ部材７２とからなる。図１に示すように、各電線１０の端部には、チューブ部材７２の開口端から外部に露出して引き出される引出部分１３が設けられている。また、各電線１０の引出部分１３の端末部には、それぞれ端子金具２０が接続されている。
【００１５】
端子金具２０は、いわゆるＬＡ端子であって、図１に示すように、円環状の接続部２１と、接続部２１に連なるワイヤバレル２２及びインシュレーションバレル２３とを備えている。図２に示すように、接続部２１は、その内部に挿通されるボルト６０を介して、モータ９１側または電力供給源９２側の相手端子８０に接続されて固定される。また、ワイヤバレル２２は、電線１０の引出部分１３の端末部にて絶縁被覆１２の除去により露出する芯線１１に圧着により接続され、インシュレーションバレル２３は、電線１０の引出部分１３の端末部における絶縁被覆１２に圧着により接続される。なお、端子金具２０は、それぞれの電線１０において互いに同形状で構成されている。
【００１６】
さて、整列具３０は、図１に示すように、各電線１０のうち、チューブ部材７２と端子金具２０との間における引出部分１３を覆うように配置されている。具体的には、整列具３０は、合成樹脂製であって、図３及び図４に示すように、本体部３１と、本体部３１に対して閉止位置と開放位置とに開閉可能なカバー部３２と、カバー部３２及び本体部３１に一体に連結されたヒンジ部３３とを備えている。
【００１７】
図４に示すように、本体部３１に対してカバー部３２が閉止位置にある場合に、整列具３０の内部には、収容部３４が周方向に閉じて設けられる。収容部３４には、各電線１０の引出部分１３が相互の入れ替わりを規制された状態で配索されるようになっている。また、図１に示すように、カバー部３２が閉止位置にあるときに、整列具３０における各電線１０の配線方向となる前後方向の両端からは各電線１０の引出部分１３が導出される。なお、以下の説明において、上下方向については、カバー部３２が閉止位置にある図４を基準とする。
【００１８】
図３に示すように、本体部３１は、浅椀状をなし、各電線１０の並び方向となる幅方向に沿った底板３５と、底板３５の幅方向両端部から略弧状に立ち上がる一対の側板３６と、両側板３６間に位置して底板３５の上面に立設される複数の仕切り壁３７と、底板３５の前端から前方に突出する突出片３８とを備えている。両側板３６のうち、一方の側板３６の上端には同上端に沿ってヒンジ部３３が連設され、他方の側板３６にはカバー部３２の後述するロック部４６が進入して係止されるロック受け部３９が設けられている。ロック受け部３９は、スリット状のロック孔４１を有している。
【００１９】
複数の仕切り壁３７は、前後方向に沿った板片状をなし、図示する場合、幅方向に対をなして配置されている。本体部３１には、互いに隣接する両仕切り壁３７間と、仕切り壁３７と側板３６との間とに、前後方向に貫通する３つの溝部４２が区画して設けられている。各溝部４２には、カバー部３２が開放位置にあるときに、対応する電線１０の引出部分１３が挿入される。この場合、電線１０の引出部分１３は、溝部４２内においてある程度の遊動を許容された状態で配置される。
【００２０】
突出片３８は、両仕切り壁３７のうちの一方と前後方向の同軸上の位置に配置される板片状の形態とされ、底板３５の前後寸法を超える前後寸法を有している。かかる突出片３８は、整列具３０が取り付けられる車体９０側の取付対象９５に対して整列具３０が誤った姿勢で取り付けられるのを規制する役割をはたし、且つ、幅方向で隣接する電線１０間を仕切って各電線１０の配線方向を規定する役割をはたす。
【００２１】
カバー部３２は、浅椀状をなし、幅方向に沿った天板４３と、天板４３の幅方向両端部から略弧状に立ち下がる一対の垂板４４と、天板４３の前端から前方に突出する取付部４５とを備えている。両垂板４４のうち、一方の垂板４４の下端には同下端に沿ってヒンジ部３３が連設され、他方の垂板４４の下端にはロック部４６が下向きに突出して設けられている。ロック部４６は、ロック受け部３９のロック孔４１にその全体が挿入可能な板片状をなし、ロック受け部３９に係止可能なロック爪４７を有している。なお、図４に示すように、一方の垂板４４及び一方の側板３６のそれぞれの外面は、ほぼ垂直に配置され、他方の垂板４４及び他方の側板３６のそれぞれの外面は、ほぼ円弧状に配置されている。
【００２２】
ヒンジ部３３は、側板３６の上端及び垂板４４の下端に沿った可撓帯状をなし、カバー部３２が開放位置と閉止位置とに変位する過程で屈曲可能とされている。カバー部３２がヒンジ部３３を介して閉止位置に至ると、ロック部４６がロック受け部３９に弾性的に係止され、これによってカバー部３２が閉止位置に保持されるようになっている。
【００２３】
取付部４５は、平面視矩形の板片状をなし、平面視矩形の取付孔４８を有している。図１及び図２に示すように、取付部４５の取付孔４８に取付対象９５の取付突部９６が挿入して弾性的に係止されることにより、整列具３０が取付対象９５に取り付け固定されるようになっている。
【００２４】
次に、実施例１の各電線１０の引出部分１３の端末部に接続された端子金具２０を、対応する相手端子８０に接続させる方法について説明する。
チューブ部材７２の開口端から突出する３本の電線１０の引出部分１３の端末部にそれぞれ端子金具２０が接続される。実施例１の場合、図１に示すように、各電線１０の引出部分１３の長さはほぼ同じであり、各端子金具２０の先端位置もほぼ同じ位置に揃えられる。
【００２５】
カバー部３２が開放位置に開放された状態で、本体部３１の各溝部４２に、上方から対応する電線１０の引出部分１３が挿入される。次いで、カバー部３２が閉止位置に至らされる。これにより、整列具３０の内部に、前後方向に貫通する収容部３４が周方向に閉じられた状態で区画される。また、各電線１０が溝部４２からの抜け出しを規制された状態で収容部３４に保持され、各溝部４２によって規定される回路に、対応する電線１０が確実に配索される。
【００２６】
続いて、整列具３０が車体９０側の取付対象９５に取り付けられる。この場合、取付対象９５は、車体９０側のパネル９９にボルト締めして固定されるシールドケースであり、整列具３０が嵌合して挿入される空間部９８を有している。
【００２７】
整列具３０が取付対象９５の空間部９８に正規挿入されると、取付部４５の取付孔４８に取付対象９５の取付突部９６が弾性的に係止され、整列具３０が取付対象９５に固定される。図１に示すように、整列具３０が取付対象９５に固定された状態では、各電線１０の引出部分１３の端末部に接続された端子金具２０は、整列具３０及び取付対象９５から先方に突出した位置に露出して配置され、各電線１０の並び方向に沿った略平面上に並列に配置される。そして、図２に示すように、各端子金具２０の接続部２１が、端子台５０上に設置された状態で、対応する相手端子８０とボルト６０により締結して接続固定される。この場合、各端子金具２０及び相手端子８０が、端子台５０上に適切な配列で臨むことにより、相互に誤接続の発生が防止されるようになっている。
【００２８】
以上説明したように、実施例１によれば、整列具３０の収容部３４に、各電線１０の引出部分１３が相互の入れ替わりを規制した状態で収容されるため、各電線１０の引出部分１３の端末部に接続された端子金具２０が、対応する相手端子８０と接続可能な位置に自動的に臨むことができる。その結果、端子金具２０が、対応する相手端子８０との接続作業を迷うことなく迅速に開始することができるとともに、本来と異なる相手端子８０と誤って接続される事態を回避することができる。したがって、実施例１によれば、コネクタを用いることなく、整列具３０によって各電線１０を簡易な手法で整列させることにより、端子金具２０が相手端子８０と接続可能な位置に至ることができる。また、整列具３０が取付部４５を介して車体９０側に取り付けられることにより、車体９０の振動時における整列具３０のがた付きが抑えられるとともに、治具等と違って、各電線１０から整列具３０を外す作業を必要としないことから、組み付け作業性に優れる。
【００２９】
＜他の実施例＞
本発明は上記記述及び図面によって説明した実施例に限定されるものではなく、例えば次のような態様も本発明の技術的範囲に含まれる。
（１）実施例１では、突出片は両仕切り壁のうちの1つの仕切り壁と同軸上の位置に設けられていたが、本発明によれば、突出片は両仕切り壁のそれぞれと同軸上の位置に対をなして設けられるものであってもよい。
（２）実施例１では、整列具が合成樹脂製であったが、本発明によれば、整列具がシールド機能を有する金属製であってもよい。
（３）本発明は、内燃機関が搭載されない電気自動車にも適用可能である。
【符号の説明】
【００３０】
１０…電線
１３…引出部分
２０…端子金具
３０…整列具
３１…本体部
３２…カバー部
３３…ヒンジ部
３７…仕切り壁
４２…溝部
４５…取付部
７０…管状部材
８０…相手端子
９０…車体
９５…取付対象
【図１】
2015042026.tif 000003
【図２】
2015042026.tif 000004
【図３】
2015042026.tif 000005
【図４】
2015042026.tif 000006
【図５】
2015042026.tif 000007